(57)【要約】      （修正有）【課題】安全性の高いネイルガンの提供。【解決手段】機体の前縁に、選択的に上昇、且つ、下向けに釘体を打撃する打撃片１３を設置し、打撃片前方の機体前縁に抵圧素子２１を設置する。抵圧素子底端は、選択的に機体底面から突出し、機体は抵圧素子２１と打撃片１３上方に旋転制動素子２５を枢設する。旋転制動素子２５は、抵圧素子２１が機体底面から突出しているか否かにより、選択的に、打撃片１３の上移動を制限し、これにより、ネイルガンが物体表面に未貼接時、打撃片は発射位置に移動せず、誤作動により釘体を発射しない。【選択図】図１
0003142977.tif 000002
【実用新案登録請求の範囲】
【請求項１】
防護性のあるネイルガンであって、機体と打撃片と圧抵素子と旋転制動素子と、からなり、
前記機体はその他の素子を容置し、
前記打撃片は、前記機体前方に設置され、選択的に上に移動、かつ、瞬間的に発射し、
前記抵圧素子は、前記機体の打撃片前方に滑設され、前記抵圧素子は、前記機体底面に相対して突出、或いは、縮入し、
前記旋転制動素子は、前記機体の抵圧素子と打撃片上方に枢設され、前記抵圧素子の突出、或いは、縮入により、選択的に旋転し、前記抵圧素子が前記機体から突出する時、前記旋転制動素子が、前記打撃片が上昇する同一軸線上方に定位し、前記抵圧素子が前記機体に縮入する時、前記旋転制動素子は、前記打撃片が上昇する偏移位置に定位することを特徴とする防護性のあるネイルガン。
【請求項２】
前記機体と前記抵圧素子間は、相対する導引素子を設置し、前記抵圧素子は、局部移動して、前記機体から少し突出、縮入するが、完全には脱出しないことを特徴とする請求項１に記載の防護性のあるネイルガン。
【請求項３】
前記機体と前記抵圧素子の導引素子は、相対する長槽、及び、凸ブロックから選択されることを特徴とする請求項１に記載の防護性のあるネイルガン。
【請求項４】
前記抵圧素子頂端は、下向けで外向けに傾斜する斜導面を有し、前記旋転制動素子は、更に、前記抵圧素子の斜導面と相対推移する斜導面を有し、前記旋制動素子が、前記抵圧素子の突出と縮入により、選択的に旋転することを特徴とする請求項１に記載の防護性のあるネイルガン。
【請求項５】
前記旋転制動素子は、1つ、或いは、複数の打撃片の上昇を制限する圧抵部を有し、前記打撃片は、対応する同軸頂抵部を有することを特徴とする請求項１、或いは、４に記載の防護性のあるネイルガン。
【請求項６】
前記機体は、前記抵圧素子上方に復位ばねを有し、前記抵圧素子は自動的に下向けに復位することを特徴とする請求項１に記載の防護性のあるネイルガン。
【請求項７】
前記抵圧素子頂端は、水平な頂段を形成し、前記復位ばねが支承することを特徴とする請求項６に記載の防護性のあるネイルガン。
【請求項８】
前記旋転制動素子は、枢軸により前記機体上に枢設されることを特徴とする請求項１に記載の防護性のあるネイルガン。
【請求項９】
前記旋転制動素子は、ねじればねと前記機体の相互支承により、前記旋転制動素子が正常な状況下で、前記圧抵部が前記打撃片を上昇するのを制限する位置に自動定位することを特徴とする請求項１、或いは、８に記載の防護性のあるネイルガン。
【考案の詳細な説明】
【技術分野】
【０００１】
本考案はネイルガンに関し、特に、防護性のあるネイルガンに関する。
【背景技術】
【０００２】
ネイルガンは、物件に連続して釘を打つ装置である。主に、機体底部に、釘体を容置する釘槽を形成し、釘槽は、釘体を前に推動するコンプレッサを有し、且つ、機体前縁は打撃片を有し、打撃片が上に移動する時、下方の釘体がコンプレッサの作用を受けて、打撃片の打撃範囲に進入し、これにより、打撃片を釈放され、瞬時に下向きに打撃する時、下方の釘体が強力に発射され、よって、ネイルガンは、操作が簡単で、効率がよいので、幅広く使用されている。
【０００３】
ネイルガンは操作により打撃片が上に移動した後、弾性素子により回復力を生成し、これにより、打撃片が釈放される時、瞬間的な下向けの回復力が、下方の釘体を強力に発射し、釘打ち動作を完成する。よって、ネイルガンが未使用時に、誤作動により釘体を打撃するのを防止するため、一般に、防護設計が設置されて、未使用時、圧棒を機体上に係止させて、打撃片が発射位置に移動しないようにしているが、実際は、操作時に、圧棒を釈放するので、操作する人が、ネイルガンを物体表面に貼接しない時でも、同様に、前述のような誤動作が生じる可能性がある。
【考案の開示】
【考案が解決しようとする課題】
【０００４】
よって、本考案の目的は、圧棒の誤操作によるネイルガンの誤射を防止する安全性の高いネイルガンを提供することにある。
【課題を解決するための手段】
【０００５】
本考案のネイルガンは、機体と、打撃片と、抵圧素子と、旋転制動素子と、からなる。機体はその他の素子を容置する。打撃片は、機体前方に設置され、選択的に上に移動、かつ、瞬間的に発射する。抵圧素子は、機体の打撃片前方に滑設され、前記抵圧素子は、機体底面に相対して突出、或いは、縮入する。旋転制動素子は、機体の抵圧素子と打撃片上方に枢設され、抵圧素子の突出、或いは、縮入により、選択的に旋転し、抵圧素子が機体から突出する時、旋転制動素子が、打撃片が上昇する同一軸線上方に定位し、抵圧素子が機体に縮入する時、旋転制動素子は、打撃片が上昇する偏移位置に定位する。
【考案の効果】
【０００６】
本考案により、本考案のネイルガンは、抵圧素子が機体底面から突出するか否かによって、旋転制動素子が選択的に、打撃片を制限、或いは、釈放し、ネイルガンが物体表面に未貼接時、打撃片は発射位置に移動せず、誤動作による釘体の発射を効果的に防止する。
【考案を実施するための最良の形態】
【０００７】
本考案の防護性のあるネイルガンは、図１と図２で示されるように、ネイルガンは機体１０、上昇、且つ、瞬間的に打撃できる打撃片１３、及び、打撃片１３の上向きの移動を選択的に制限できる旋転制動素子２５、からなる。
【０００８】
本考案のネイルガンの好ましい実施例は、図１〜図３で示されるように、機体１０底部は、相連続した釘体３０を容置する釘槽１１を設置し（図３で示される）、且つ、機体１０前縁は、釘槽１１に対応するトラック片１２を有する。
【０００９】
また、打撃片１３は、機体１０のトラック片１２内に滑設され、打撃片１３上段は開口１４を形成し、更に、機体１０上に圧棒１５を枢設し、圧棒１５の枢点と異なる一端は、打撃片１３の開口１４に引っかかるフック１５０を有し、打撃片１３が釘体３０上方の打撃位置に移動し（図５、図６で示される）、且つ、機体１０内は、打撃片１３の帯動を受け、且つ、回復力を生成するばね片１６を設置し、これにより、操作する人が、圧棒１５を下圧して、フック１５０が打撃片１３を打撃位置まで移動させ、フック１５０が打撃片１３の開口１４を脱離する時、打撃片１３はバネ片１６の下向けの回復作用を受けた瞬間に、下方の釘槽１１内の釘体３０が発射される。
【００１０】
更に、抵圧素子２１は、機体１０前縁の打撃片１３前方に滑設され、抵圧素子２１と機体１０間に、それぞれ、相対する導引素子２２、２３を有し、抵圧素子２１は局部が上下に滑動して、完全に脱出することがなく、且つ、機体１０から突出、或いは、縮入する。本考案の導引素子２２、２３は、相対する凸ブロック、及び、長槽を主要実施例とする。また、抵圧素子２１上端は、水平な頂段２１０を形成し、頂段２１０の一端は、下向け外側に傾斜する斜導面２１１を有し、機体１０は抵圧素子２１上方に復位ばね２４を設置し、抵圧素子２１は復位ばね２４の作用を受けて、自然に機体１０底面から突出する。
【００１１】
前述の旋転制動素子２５は、枢軸２６により、機体１０上に枢設され、旋転制動素子２５は、1つ、或いは、複数の、打撃片１３の上昇を制限する圧抵部２５０を有する。打撃片１３頂端は、対応する頂抵部１３０を有し、また、旋転制動素子２５は、抵圧素子２１の斜導面２１１と相対推移する斜導面２５１を有する。更に、旋転制動素子２５と機体１０間に、ねじればね２７を設置し、旋転制動素子２５は、正常な状況下で、圧抵部２５０が打撃片１３の上昇を制限できる位置に自動定位し、打撃片１３が旋転制動素子２５の制限を受ける。
【００１２】
本考案の実際の運用において、図３〜図６で示されるように、使用者は、ネイルガンにより釘打ち動作を実行する時、ネイルガンが物体表面に貼接し（図４で示される）、抵圧素子２１が機体１０内に縮入し、且つ、抵圧素子２１は上方の復位ばね２４を圧縮して回復力を生成し、抵圧素子２１が上昇する時、同時に、抵圧素子２１の斜導面２１１と旋転制動素子２５の斜導面２５１により、旋転制動素子２５を旋転させ、旋転制動素子２５の圧抵部２５０が偏移して、打撃片１３の頂抵部１３０と同一軸線ではなくなり（図５で示される）、擬似開放状態になり、続いて、使用者が、下向けに圧棒１５を押す時、圧棒１５のフック１５０が打撃片１３の開口１４内に引っかかり、打撃片１３を所定の打撃位置に上昇させ（図５で示される）、且つ、同時に、バネ片１６を上向けに帯動して、瞬間的な下向けの回復力を生成するので、打撃片１３が一定高度に症状して、圧棒１５のフック１５０が打撃片１３の開口１４を脱離する時、打撃片１３は、バネ片１５の回復力により瞬間的に下に打撃し（図６で示される）、打撃片１３は下方の釘体３０を強力に発射し、且つ、釘がしっかりと固定されて、釘打ち動作が完成する。ネイルガンが物体表面を離れる時、抵圧素子２１と旋転制動素子２５は、それぞれ、復位ばね２４とねじればね２７の回復力を受けて、閉鎖状態に戻り（図３で示される）、次の循環動作を提供する。
【００１３】
ネイルガンが物体表面に未貼接の時、図３、図７で示されるように、抵圧素子２１は復位ばね２４の回復力作用を受けて、下向けに機体１０底面から突出し、且つ、旋転制動素子２５が推動を受けない状況下で、ねじればね２７の作用を受けて、旋転制動素子２５は、圧抵部２５０が打撃片１３の頂抵部１３０に対応する位置に定位し、旋転制動素子２５の圧抵部２５０と打撃片１３の頂抵部１３０が同一軸線になり、これにより、使用者は、ネイルガンの圧棒１５を押す時、圧棒１５のフック１５０は、打撃片１３の開口１４内に引っかかり、打撃片１３が上に上昇するが、打撃片１３の頂抵部１３０は旋転制動素子２５の圧抵部２５０底面に貼接する時、打撃片１３が上昇して、旋転制動素子２５と同一軸線を呈し、閉鎖状態を形成する。打撃片１３は、旋転制動素子２５の制限を受けて、所定の打撃位置に移動し続けることができず（図７で示される）、これにより、打撃片１３が物体表面に未貼接の状況下で、釘体３０が誤操作により打撃されるのを防止し、ネイルガン使用の安全性を確保する。
【図面の簡単な説明】
【００１４】
【図１】本考案のネイルガンの局部立体外観図で、主用素子の様態と相対関係を示す図である。
【図２】本考案のネイルガンの局部立体外観図で、本考案の組成状態を示す図である。
【図３】本考案のネイルガンの側視平面図である。
【図４】本考案のネイルガンの開放状態の動作図である。
【図５】本考案のネイルガンの打撃片が打撃位置に上昇する動作図である。
【図６】本考案のネイルガンの打撃片が釘体を打撃する動作図である。
【図７】本考案のネイルガンの未開放状態の動作図である。
【符号の説明】
【００１５】
１０  機体
１１  釘槽
１２  トラック片
１３  打撃片
１４  開口
１５  圧棒
１６  バネ片
２１  抵圧素子
２２、２３  導引素子
２４  復位ばね
２５  旋転制動素子
２６  枢軸
２７  ねじればね
３０  釘体
１３０  頂抵部
１５０  フック
２１０  頂段
２１１  斜導面
２５０  圧抵部
２５１  斜導面
【図１】
0003142977.tif 000003
【図２】
0003142977.tif 000004
【図３】
0003142977.tif 000005
【図４】
0003142977.tif 000006
【図５】
0003142977.tif 000007
【図６】
0003142977.tif 000008
【図７】
0003142977.tif 000009